(57)【要約】【課題】ロータの超音波振動素子に給電するのに接点間の摩擦による接触不良を回避し耐久性に優れた構造を提供する。【解決手段】ロータとそれを支持するハンドル側との間に複数個の導電性軸受けベアリングを介装し、超音波振動素子を駆動する電極と高周波電源部をこの軸受けベアリングを介して電気的に接続する。電極は１対ありそれぞれに電気的に絶縁した軸受けベアリングを経由して高周波電源を接続するので、従来のような接点の摩滅に起因する接続不良問題を解消できる。【選択図】図２
2012117923.tif 000002
【特許請求の範囲】
【請求項１】
ハンドル内部に導電材から成る複数個の軸受けベアリングを互いに絶縁状態に設置し、
回転軸をこれら軸受けベアリングに挿通して回転軸をハンドルに対し回転自在に取り付け、
そして超音波振動素子を有するローラを回転軸に対し一体的に固定してローラとハンドルを連結し、
さらに超音波振動素子の相対する電極のうち、一方を複数の軸受けベアリングのいずれかに、また他方を前記軸受けベアリングとは異なる軸受けベアリングに、それぞれ接続して、内蔵の高周波電源部よりこれら軸受けベアリングを経由して超音波振動素子に高周波電力を給電することを特徴とする超音波振動ローラ美容器。
【請求項２】
ハンドルに固定軸を取り付け、この固定軸に導電材から成る複数の軸受けベアリングを互いに絶縁状態に装着し、
これら軸受けベアリングを介してローラを固定軸の回りに回転自在に取り付け、
ローラには超音波振動素子を設け、その相対する電極のうち、一方を複数の軸受けベアリングのいずれかに、また他方を前記軸受けベアリングとは異なる軸受けベアリングに、それぞれ接続して、内蔵する高周波電源部よりこれら軸受けベアリングを経由して超音波振動素子に高周波電力を給電することを特徴とする超音波振動ローラ美容器。
【請求項３】
ローラの断面形状が多角形で且つローラの太さが太い大径部と細い小径部を有し、大径部と小径部が連続的に連なって多角形を構成する矩形面が曲面を形成することを特徴とする請求項１または２記載の超音波振動ローラ美容器。
【請求項４】
ローラの断面形状が多角形で、多角形の各辺を形成する矩形面が、ローラの中心軸に関し捩れた曲面を成していることを特徴とする請求項１または２記載の超音波振動ローラ美容器。
【請求項５】
ローラに一体にローラと同径の液タンクを連結し、液タンクの先端の開口部に任意の方向に転動可能なボールを嵌合して開口部を塞ぐと共に、ボールの一部を液タンクの内部にのぞませ、液タンクの液をボールで肌に塗布することを特徴とする請求項１〜４のいずれか１項に記載の超音波振動ローラ美容器。
【発明の詳細な説明】
【技術分野】
【０００１】
本発明は、超音波振動するローラを肌に押し当てながら転がして使用する美容器具に関する。
【背景技術】
【０００２】
１秒間に数万回程度かそれ以上の超音波振動を肌に与えると、血行も改善されて、肌にハリが出るなどの美容効果が期待できる。
このような超音波振動を肌に与える美容器具は既に各種商品化されているが、そのうちローラを使用するものが特許文献１及び２に記載されている。【０００３】
超音波振動を肌に与えると、その振動エネルギーにより肌が温まる。しかし１箇所に対して連続して使用すると肌が高温になるため、通常肌の表面を動かしながら使用する必要がある。肌の表面を動かしながら使うためには水やジェルなどの潤滑剤を用いる必要があり使用前・使用後の手間が掛かることあった。しかしながらローラは肌の上を自由に転がるため、潤滑剤が必要なくに使用でき、その手間を省くことができる。ところが超音波振動子はローラ側にあるから、これに給電するには工夫が必要となる。電源側のハンドルとローラの間を単にリード線でつなぐだけでは線が捩れてしまうからである。この点について、特許文献１では、ローラとハンドルの間にロータリー接点を設置して、ローラ側の接点をハンドル側の固定接点に対し摺接させることによりローラとハンドルを電気的に接続している。
また特許文献２では、ローラと一体の回転軸を超音波振動子に電気的に接続し、この回転軸をハンドルの軸受けに固定した端子部材に接触させることにより給電している。
【先行技術文献】
【特許文献】
【０００４】
【特許文献１】特開２００６−３４６５１号公報
【特許文献２】特許４４６１３６４号公報
【発明の概要】
【発明が解決しようとする課題】
【０００５】
このように特許文献１及び２の通電構造は、リード線の捩れという問題は生じないが、いずれも回転側と固定側の機械的な摺接によるから、長い間使用すると接点の摩滅による接続不良が避けられない。
本発明は、接点間の摩滅がなく適正な接続を長期にわたり実現することを目的とする。
【課題を解決するための手段】
【０００６】
本発明の請求項１の超音波振動ローラ美容器は、ハンドル内部に導電材から成る複数個の軸受けベアリングを互いに絶縁状態に設置し、回転軸をこれら軸受けベアリングに挿通して回転軸をハンドルに対し回転自在に取り付け、そして超音波振動素子を有するローラを回転軸に対し一体的に固定してローラとハンドルを連結し、さらに超音波振動素子の相対する電極のうち、一方を複数の軸受けベアリングのいずれかに、また他方を前記軸受けベアリングとは異なる軸受けベアリングに、それぞれ接続する。これにより内蔵の高周波電源部よりこれら軸受けベアリングを経由して超音波振動素子に高周波電力を給電することを特徴とする。【０００７】
請求項２の超音波振動ローラ美容器は、ハンドルに固定軸を取り付け、この固定軸に導電材から成る複数の軸受けベアリングを互いに絶縁状態に装着し、これら軸受けベアリングを介してローラを固定軸の回りに回転自在に取り付け、ローラには超音波振動素子を設け、その相対する電極のうち、一方を複数の軸受けベアリングのいずれかに、また他方を前記軸受けベアリングとは異なる軸受けベアリングに、それぞれ接続する。そして内蔵する高周波電源部よりこれら軸受けベアリングを経由して超音波振動素子に高周波電力を給電することを特徴とする。【０００８】
請求項３の超音波振動ローラ美容器は、請求項１または２記載の超音波振動ローラ美容器において、ローラの断面形状が多角形で且つローラの太さが太い大径部と細い小径部を有し、大径部と小径部が連続的に連なって多角形を構成する矩形面が曲面を形成することを特徴とする。【０００９】
請求項４の超音波振動ローラ美容器は、請求項１または２記載の超音波振動ローラ美容器において、ローラの断面形状が多角形で、多角形の各辺を形成する矩形面が、ローラの中心軸に関し捩れた曲面を成していることを特徴とする。【００１０】
請求項５の超音波振動ローラ美容器は、請求項１〜４に記載の超音波振動ローラ美容器において、ローラに一体にローラと同径の液タンクを連結し、液タンクの先端の開口部に任意の方向に転動可能なボールを嵌合して開口部を塞ぐと共に、ボールの一部を液タンクの内部にのぞませ、液タンクの液をボールで肌に塗布することを特徴とする。
【発明の効果】
【００１１】
請求項１の発明によれば、ローラに一体の回転軸を導電材の軸受けベアリングを介してハンドルに回転自在に取り付け、軸受けベアリングを経由してローラの超音波振動素子に高周波電源部の高周波電力を給電するので、従来のような接点間の摩滅がなく電気的な接続を長期にわたり正常に維持できる。【００１２】
請求項２の発明によれば、導電材の軸受けベアリングを介してローラを固定軸の回りに回転自在に取り付け、軸受けベアリングを経由してローラの超音波振動子に高周波電源部の高周波電力を給電するので、従来のような接点間の摩滅がなく電気的な接続を長期にわたり正常に維持できる。【００１３】
請求項３の発明によれば、ローラの断面形状が多角形なので転がすと肌を刺激して血行を促し、またローラの太さが太い大径部と細い小径部を有し、大径部と小径部が連続的に連なって、多角形を構成する矩形面が曲面を形成するので、隣り合う矩形面の境界が曲線を呈し、これら曲面と曲線が肌の上を転がっていっそう快適な刺激を与える。また大径部と小径部を適宜使い分けることにより肌の凸部や凹部にローラをまんべんなく接触させることが出来る。【００１４】
請求項４の発明によれば、ローラの断面形状が多角形で、且つ多角形の各辺を形成する矩形面が、ローラの中心軸に関し捩れた曲面を成しているので、転がり運動により肌に快適な刺激を与えることが出来る。【００１５】
請求項５の発明によれば、ローラに一体にローラと同径の液タンクを連結し、液タンクのボールを肌に転がして化粧水のような液体を肌に塗布できるので、そのあとにロールで超音波振動を与えれば化粧水等が肌に浸透していっそうの美容効果が期待できる。
【図面の簡単な説明】
【００１６】
【図１】本発明の実施例１の全体斜視図である。
【図２】図１の断面図である。
【図３】図２の要部拡大図である。
【図４】本発明の実施例２の断面図である。
【図５】図４の要部拡大図である。
【図６】本発明の実施例３の一部を断面で示す全体図である。
【図７】本発明の実施例４の要部拡大断面図である。
【図８】本発明の実施例５の要部斜視図である。
【図９】本発明の実施例６の要部斜視図である。
【図１０】本発明の実施例７の要部斜視図である。
【発明を実施するための形態】
【００１７】
次に本発明の実施例１〜７を図面に沿って説明する。
【実施例１】
【００１８】
図１〜３に示すとおり、超音波振動ローラ美容器は、ハンドルＨに対しローラＲを回転自在に連結した構造である。図面のローラＲは６角形であるが、外形は特に限定しない。
ハンドルＨは片手で握れる程度の大きさで、内部に、金属のような導電材から成る複数個の軸受けベアリング１，２，３を互いに絶縁状態に設置する。
４は中空の回転軸で、軸受けベアリング１，２，３に挿通して、ハンドルＨに対し回転自在に取り付ける。
軸受けベアリング１，２，３の内輪１ａ、２ａ、３ａは回転軸４と一体で、外輪１ｂ、２ｂ、３ｂはハンドルＨと一体である。これら内輪１ａ、２ａ、３ａと外輪１ｂ、２ｂ、３ｂにはそれぞれ接続端子５を取り付け、内輪１ａ、２ａ、３ａ側の接続端子５を、回転軸4の側面の通孔６に挿通して、先端を回転軸４の内側に突き出し、外輪１ｂ、２ｂ、３ｂの接続端子５はハンドルＨの長さ方向に沿う長溝７内に配置する。
回転軸４にはローラＲを一体的に連結する。ローラＲは中空構造で、その内周面に接するように、円筒形の超音波振動素子８を設置する。超音波振動素子８は圧電セラミック体で、その外周面と内周面に層状の電極（図示省略）が形成されている。
そしてこれら内外の電極にリード線（図示省略）を１本ずつ接続して回転軸４の内側を通し、内輪１ａ、２ａの接続端子５にそれぞれ接続する。外輪１ｂ、２ｂの接続端子５には、ハンドルＨに内蔵する高周波電源部（図示省略）の出力端子を接続する。高周波電源部は公知の構造で、高周波発振回路とバッテリから成り立っている。
これらのことから明らかなとおり、ローラＲの超音波振動素子８には軸受けベアリング１，２を経由して高周波電力が供給される。軸受けベアリング３は予備用で、図面の例では他と電気的に接続しない。
【実施例２】
【００１９】
図４，５の実施例２では、ローラＲを、ハンドルＨに一体の固定軸９に対し回転自在に取付ける。ローラＲの内周と固定軸９の間には、実施例１と同様の軸受けベアリング１０〜１３を介装する。
固定軸９は導電材で出来ていて、その先端には絶縁材１５を介して接続端子１４を取り付け、この接続端子１４に軸受けベアリング１０，１１の内輪１０ａ、１１ａを一体的に嵌合して接触させる。軸受けベアリング１０，１１の外輪１０ｂ、１１ｂはローラＲの内周に一体的に嵌め合わせる。
また軸受けベアリング１２，１３の内輪１２ａ、１３ａに固定軸９の基部を一体的に取り付け、軸受けベアリング１２，１３の外輪１２ｂ、１３ｂは絶縁材１６を介してローラＲと一体的に連結する。
１７は外輪１２ｂ、１３ｂと絶縁材１６の間に圧入した接続端子で、その一端を超音波振動素子８の内側の電極に接続する。超音波振動素子８は実施例１と同じ構造で、その外側の電極はローラＲを経由して、若しくはリード線（図示省略）を経由して、軸受けベアリング１０，１１の外輪１０ｂ、１１ｂに接続する。
そしてハンドルＨに内蔵の高周波電源部（図示省略）の出力端子の一方に接続するリード線を、固定軸９の内側を経由して先端の接続端子１４に接続し、出力端子の他方に接続するリード線を、固定軸９の基部に取付けた接続金具１８に接続する。
これらのことから明らかなとおり、高周波電源部の出力が接続端子１４側の軸受けベアリング１０，１１を経て超音波振動素子８の外側の電極に、また固定軸９、軸受けベアリング１２，１３及び接続端子１７を経て超音波振動素子８の内側の電極に、それぞれ接続され、これら軸受けベアリング１０〜１３を経由して超音波振動素子８に高周波電力が供給される。
【実施例３】
【００２０】
図６の実施例３はローラＲの先端に液タンク１９を連結した構造である。
液タンク１９はローラＲと同径で、先端の開口部２０にはそれを塞ぐようにボール２１を嵌合する。このボール２１は任意の方向に転動可能で、一部が液タンク１９内の液に接し、ボール２１が転動すると液タンク１９の液がボール２１の表面に付着して外部に出てくる。
ハンドルＨを握って先端のボール２１を肌に当てて転がすと、液タンク１９の化粧水等の液を肌に塗ることができる。塗った肌にすぐローラＲを転がして超音波振動を与えることができる。
【実施例４】
【００２１】
図７の実施例４は、実施例２の固定軸９の中空内部に高周波電源部を設置した構造である。Ｅ１が高周波電源部の高周波発振回路で、Ｅ２がバッテリである。
その他の構成は実施例２と同じで、高周波電源部の出力は軸受けベアリング１０，１１を経て超音波振動素子８の外側の電極に、また軸受けベアリング１２，１３を経て超音波振動素子８の内側の電極に、それぞれ接続され、これら軸受けベアリング１０〜１３を経由して超音波振動素子８に高周波電力が供給される。実施例２に比べリード線を省略できる利点がある。
【実施例５】
【００２２】
図８の実施例５は、超音波振動素子８をローラＲの外側に取付けた構造である。
ローラＲは断面６角形で、その６つ外側面に張り付けるように、６個の長方形の超音波振動素子８を取付ける。各超音波振動素子８は表と裏の両面に層状の電極を有し、これらの電極にローラＲの側面の孔２２から延びるリード線を接続する。実施例５によれば、超音波振動素子８は平板構造だから円筒形に比べコストが安い利点がある。
【実施例６】
【００２３】
図９の実施例６は、ローラＲの断面形状が多角形で且つローラＲの太さが太い大径部Ｒ１と細い小径部Ｒ２を有し、大径部Ｒ１と小径部Ｒ２が連続的に連なって多角形を構成する矩形面が曲面を形成する。
【実施例７】
【００２４】
図１０の実施例７は、ローラＲの断面形状が多角形で、多角形の各辺を形成する矩形面が、ローラの中心軸に関し捩れた曲面を成している。
実施例６も７も、ローラＲの外形形状の実施例であり、そのほかの特徴は実施例１乃至２と同じである。
【符号の説明】
【００２５】
Ｈ  ハンドル
Ｒ  ローラ
１〜３及び１０〜１３  軸受けベアリング
４  回転軸
８  超音波振動子
９  固定軸
１９  液タンク
２１  ボール
【図１】
2012117923.tif 000003
【図２】
2012117923.tif 000004
【図３】
2012117923.tif 000005
【図４】
2012117923.tif 000006
【図５】
2012117923.tif 000007
【図６】
2012117923.tif 000008
【図７】
2012117923.tif 000009
【図８】
2012117923.tif 000010
【図９】
2012117923.tif 000011
【図１０】
2012117923.tif 000012
【手続補正書】
【提出日】平成24年10月15日(2012.10.15)
【手続補正１】
【補正対象書類名】特許請求の範囲
【補正対象項目名】全文
【補正方法】変更
【補正の内容】
【特許請求の範囲】
【請求項１】
（削除）
【請求項２】
ハンドルに中空の固定軸を取り付け、この固定軸に導電材から成る複数の軸受けベアリングを互いに絶縁状態に装着し、
これら軸受けベアリングを介してローラを固定軸の回りに回転自在に取り付け、
ローラには超音波振動素子を設け、その相対する電極のうち、一方を複数の軸受けベアリングのいずれかに、また他方を前記軸受けベアリングとは異なる軸受けベアリングに、それぞれ接続して、
上記固定軸の中空部に内蔵する高周波電源部よりこれら軸受けベアリングを経由して超音波振動素子に高周波電力を給電することを特徴とする超音波振動ローラ美容器。
【請求項３】
前記ローラの断面形状が多角形で且つローラの太さが太い大径部と細い小径部を有し、大径部と小径部が連続的に連なって多角形を構成する矩形面が曲面を形成することを特徴とする請求項２に記載の超音波振動ローラ美容器。
【請求項４】
前記ローラの断面形状が多角形で、多角形の各辺を形成する矩形面が、ローラの中心軸に関し捩れた曲面を成し、この捩れた曲面に超音波振動素子を固着していることを特徴とする請求項２に記載の超音波振動ローラ美容器。
【請求項５】
前記ローラと一体に、ローラと同径の液タンクを連結し、液タンクの先端の開口部に任意の方向に転動可能なボールを嵌合して開口部を塞ぐと共に、ボールの一部を液タンクの内部にのぞませ、液タンクの液をボールで肌に塗布することを特徴とする請求項２〜４のいずれか１項に記載の超音波振動ローラ美容器。
【手続補正２】
【補正対象書類名】明細書
【補正対象項目名】０００２
【補正方法】変更
【補正の内容】
【０００２】
特許文献２：特許４４６１３６４号公報
発明の概要
発明が解決しようとする課題
［０００５］
このように特許文献１及び２の通電構造は、リード線の捩れという問題は生じないが、いずれも回転側と固定側の機械的な摺接によるから、長い間使用すると接点の摩滅による接続不良が避けられない。
本発明は、接点間の摩滅がなく適正な接続を長期にわたり実現することを目的とする。
課題を解決するための手段
［０００６］
［０００７］
請求項２の超音波振動ローラ美容器は、ハンドルに中空の固定軸を取り付け、この固定軸に導電材から成る複数の軸受けベアリングを互いに絶縁状態に装着し、これら軸受けベアリングを介してローラを固定軸の回りに回転自在に取り付け、ローラには超音波振動素子を設け、その相対する電極のうち、一方を複数の軸受けベアリングのいずれかに、また他方を前記軸受けベアリングとは異なる軸受けベアリングに、それぞれ接続する。そして、上記固定軸の中空部に内蔵する高周波電源部よりこれら軸受けベアリングを経由して超音波振動素子に高周波電力を給電することを特徴とする。
［０００８］
請求項３の超音波振動ローラ美容器は、請求項２記載の超音波振動ローラ美容器において、ローラの断面形状が多角形で且つローラの太さが
【手続補正３】
【補正対象書類名】明細書
【補正対象項目名】０００３
【補正方法】変更
【補正の内容】
【０００３】
太い大径部と細い小径部を有し、大径部と小径部が連続的に連なって多角形を構成する矩形面が曲面を形成することを特徴とする。
［０００９］
請求項４の超音波振動ローラ美容器は、請求項２記載の超音波振動ローラ美容器において、ローラの断面形状が多角形で、多角形の各辺を形成する矩形面が、ローラの中心軸に関し捩れた曲面を成し、この捩れた曲面に超音波振動素子を固着していることを特徴とする。
［００１０］
請求項５の超音波振動ローラ美容器は、請求項２〜４に記載の超音波振動ローラ美容器において、ローラと一体に、ローラと同径の液タンクを連結し、液タンクの先端の開口部に任意の方向に転動可能なボールを嵌合して開口部を塞ぐと共に、ボールの一部を液タンクの内部にのぞませ、液タンクの液をボールで肌に塗布することを特徴とする。
発明の効果
［００１１］
［００１２］
請求項２の発明によれば、導電材の軸受けベアリングを介してローラを固定軸の回りに回転自在に取り付け、軸受けベアリングを経由してローラの超音波振動子に高周波電源部の高周波電力を給電するので、従来のような接点間の摩滅がなく電気的な接続を長期にわたり正常に維持できる。また、リード線を省略できる。
［００１３］
請求項３の発明によれば、ローラの断面形状が多角形なので転がすと肌を刺激して血行を促し、またローラの太さが太い大径部と細い小径部を有し、大径部と小径部が連続的に連なって、多角形を構成する矩形面が曲面を形成するので、隣り合う矩形面の境界が曲線を呈し、これら曲面と曲線が肌の上を転がっていっそう快適な刺激を与える。また大径部と小径部を適宜使い分けることにより肌の凸部や凹部にローラをまんべんなく接触させることが出来る。
【手続補正４】
【補正対象書類名】明細書
【補正対象項目名】０００４
【補正方法】変更
【補正の内容】
【０００４】
［００１４］
請求項４の発明によれば、ローラの断面形状が多角形で、且つ多角形の各辺を形成する矩形面が、ローラの中心軸に関し捩れた曲面を成し、この捩れた曲面に超音波振動素子を固着しているので、転がり運動により肌に快適な刺激を与えることが出来る。
［００１５］
請求項５の発明によれば、ローラと一体に、ローラと同径の液タンクを連結し、液タンクのボールを肌に転がして化粧水のような液体を肌に塗布できるので、そのあとにロールで超音波振動を与えれば化粧水等が肌に浸透していっそうの美容効果が期待できる。
図面の簡単な説明
［００１６］
［図１］本発明の実施例１の全体斜視図である。
［図２］図１の断面図である。
［図３］図２の要部拡大図である。
［図４］本発明の実施例２の断面図である。
［図５］図４の要部拡大図である。
［図６］本発明の実施例３の一部を断面で示す全体図である。
［図７］本発明の実施例４の要部拡大断面図である。
［図８］本発明の実施例５の要部斜視図である。
［図９］本発明の実施例６の要部斜視図である。
［図１０］本発明の実施例７の要部斜視図である。
発明を実施するための形態
［００１７］
次に本発明の実施例１〜７を図面に沿って説明する。
実施例１
［００１８］
図１〜３に示すとおり、超音波振動ローラ美容器は、ハンドルＨに対しローラＲを回転自在に連結した構造である。図面のローラＲは６角形であるが、外形は特に限定しない。
ハンドルＨは片手で握れる程度の大きさで、内部に、金属のような導電材から成る複数個の軸受けベアリング１，２，３を互いに絶縁状態に設置する。
４は中空の回転軸で、軸受けベアリング１，２，３に挿通して、ハンドル
【手続補正５】
【補正対象書類名】明細書
【補正対象項目名】０００５
【補正方法】変更
【補正の内容】
【０００５】
Ｈに対し回転自在に取り付ける。
軸受けベアリング１，２，３の内輪１ａ、２ａ、３ａは回転軸４と一体で、外輪１ｂ、２ｂ、３ｂはハンドルＨと一体である。これら内輪１ａ、２ａ、３ａと外輪１ｂ、２ｂ、３ｂにはそれぞれ接続端子５を取り付け、内輪１ａ、２ａ、３ａ側の接続端子５を、回転軸４の側面の通孔に挿通して、先端を回転軸４の内側に突き出し、外輪１ｂ、２ｂ、３ｂ側の接続端子５はハンドルＨの長さ方向に沿う長溝７内に配置する。
回転軸４にはローラＲを一体的に連結する。ローラＲは中空構造で、その内周面に接するように、円筒形の超音波振動素子８を設置する。超音波振動素子８は圧電セラミック体で、その外周面と内周面に層状の電極（図示省略）が形成されている。
そしてこれら内外の電極にリード線（図示省略）を１本ずつ接続して回転軸４の内側を通し、内輪１ａ、２ａ側の接続端子５にそれぞれ接続する。外輪１ｂ、２ｂ側の接続端子５には、ハンドルＨに内蔵する高周波電源部（図示省略）の出力端子を接続する。高周波電源部は公知の構造で、高周波発振回路とバッテリから成り立っている。
これらのことから明らかなとおり、ローラＲの超音波振動素子８には軸受けベアリング１，２を経由して高周波電力が供給される。軸受けベアリング３は予備用で、図面の例では他と電気的に接続しない。
実施例２
［００１９］
図４，５の実施例２では、ローラＲを、ハンドルＨに一体の固定軸９に対し回転自在に取付ける。ローラＲの内周と固定軸９の間には、実施例１と同様の軸受けベアリング１０〜１３を介装する。
固定軸９は導電材で出来ていて、その先端には絶縁材１５を介して接続端子１４を取り付け、この接続端子１４に軸受けベアリング１０，１１の内輪１０ａ、１１ａを一体的に嵌合して接触させる。軸受けベアリング１０，１１の外輪１０ｂ、１１ｂはローラＲの内周に一体的に嵌め合わせる。
また軸受けベアリング１２，１３の内輪１２ａ、１３ａに固定軸９の基部
【国際調査報告】
2012117923.tif 000013
2012117923.tif 000014
2012117923.tif 000015
2012117923.tif 000016